(57)【要約】【課題】キーボードの収納スペースを小さくするとともに、部品点数が少なく、構造簡単で安価であり、かつ大きさの異なるキーボードを安定して収納する。【解決手段】扉１ｂに貫通して収納孔１ｄを設けるとともに、収納孔１ｄの位置においてキーボードトレイ８を前部取付柱２に蝶番９を介して上下方向回動自在に設ける。又、収納孔１ｄの位置において前部取付柱２にキーボードトレイ８を上方に回動した際にキーボードトレイ８を係止する係止部材１１を取り付けるとともに、キーボードトレイ８が下方に回動して収納孔１ｄから突出した際に前部取付柱２と当接する当接部１２をキーボードトレイ８に設け、係止部材１１との係止時にキーボードトレイ８の底部８ａが前方斜め上方に傾斜してキーボード５が斜めに支持され、当接部１２が前部取付柱２に当接した際にキーボードトレイ８が水平に位置する。【選択図】図１
2006179625.tif 000002
【特許請求の範囲】
【請求項１】
本体内の前部及び後部に設けた取付柱に収納ユニットを取り付けるとともに、本体の前部に開閉自在の扉を設けた制御盤において、扉に貫通して設けられた収納孔と、キーボードを収納するとともに、扉の収納孔位置において前部取付柱に蝶番を介して上下方向回動自在に取り付けられたキーボードトレイと、扉の収納孔位置において前部取付柱に取り付けられ、キーボードトレイを上方に回動した際にキーボードトレイを係止する係止部材と、キーボードトレイに設けられ、キーボードトレイが下方に回動して扉の収納孔から突出した際に扉の収納孔位置において前部取付柱と当接する当接部とを備え、キーボードトレイが上方に回動して係止部材により係止された際にキーボードトレイの底部が前方斜め上方に傾斜して、キーボードはキーボードトレイの底部上を滑って斜めに支持されるとともに、キーボードトレイが下方に回動して当接部が前部取付柱と当接した際にキーボードトレイは水平に位置し、キーボードはこの水平のキーボードトレイ上に支持されることを特徴とする制御盤。
【発明の詳細な説明】
【技術分野】
【０００１】
この発明は、キーボードを収納するようにした制御盤に関するものである。
【背景技術】
【０００２】
制御盤内にキーボードを実装する場合、比較的内部実装的に空間がある際は棚板を設けて実装し、内部実装的に空間を設けることが困難な場合、引出しを設けて実装している。
【０００３】
特許文献１においては、電子機器の筐体に引き出し、収納自在に引き出し型テーブルを設け、筐体とテーブルとの間にスライドレールを設けるとともに、筐体内にはテーブルの引出し動作を錠止する動作と錠止を解除する動作を行なう板カムを設け、テーブルの外端部には収納位置でテーブルを筐体の前面と同一面とする前面パネルを設け、かつテーブル上にはキーボードを設けたものが示されている。又、特許文献２においては、監視盤の前面扉に形成された凹部の下縁に内面にキーボードを備えた開閉体の下縁を枢支し、この開閉体を伸縮自在な支持手段により水平に、あるいはその外面を前面扉の前面とほぼ同一面に支持するようにしたものが示されている。
【０００４】
図４（ａ），（ｂ）は従来の制御盤の縦断正面図及び縦断側面図を示し、１は制御盤であり、その本体１ａ内の前部及び後部には取付柱２，３が取り付けられ、取付柱２，３には各収納ユニット４が取り付けられている。ＢＰは収納ユニット４が取り付けられていない部分である。１ｂは本体１の前方に開閉自在に設けられた扉であり、前部取付柱２及び扉１ｂに設けられた引出孔２ａ，１ｃにはキーボード５が載置された引出し６が引き出し、収納自在に設けられている。このように、キーボード５を制御盤１外に引き出して操作するのは、キーボード５が制御盤１内に位置していると、キーボード５のすぐ上方に収納ユニット４が位置しているので、キーボード５の操作ができないからである。
【０００５】
図５（ａ），（ｂ）は他の従来の制御盤の縦断正面図及び縦断側面図であり、各取付柱２，３には収納ユニット４が取り付けられている。７は前部取付柱２に取り付けられた棚板であり、棚板７上にはキーボード５が支持されている。この場合、本体１ａ内においてキーボード５の上方に空間があるので、キーボード５を制御盤１外に引き出す必要がなく、キーボード５は本体１ａ内の棚板７上に載置したまま操作する。
【特許文献１】特開平５−３０４３７１号公報
【特許文献２】実開平６−６６０７４号公報
【発明の開示】
【発明が解決しようとする課題】
【０００６】
しかしながら、図４の場合のようにキーボード５を引出し６上に載置して、引き出し、収納自在とした場合、実際には特許文献１のようにスライドレールや前面板等を必要とし、部品点数が多く、構造も複雑となり、高価となった。また、収納ユニット４の収納スペースもある程度占有することとなった。又、図５の場合のように本体１ａ内の棚板７上にキーボード５を載置した場合、部品点数が少なく、構造も簡単となり、安価になったが、本体１ａ内の収納スペースをかなり占有することになり、収納にかなりの制約を受けることとなった。
【０００７】
この発明は上記のような課題を解決するために成されたものであり、キーボードの収納スペースを小さくすることができるとともに、構造が比較的簡単で部品点数も少なく、安価であり、かつ大きさの異なるキーボードを安定して収納することができ、キーボードの操作も安定して行なうことができる制御盤を得ることを目的とする。
【課題を解決するための手段】
【０００８】
この発明の請求項１に係る制御盤は、本体内の前部及び後部に設けた取付柱に収納ユニットを取り付けるとともに、本体の前部に開閉自在の扉を設けた制御盤において、扉に貫通して設けられた収納孔と、キーボードを収納するとともに、扉の収納孔位置において前部取付柱に蝶番を介して上下方向回動自在に取り付けられたキーボードトレイと、扉の収納孔位置において前部取付柱に取り付けられ、キーボードトレイを上方に回動した際にキーボードトレイを係止する係止部材と、キーボードトレイに設けられ、キーボードトレイが下方に回動して扉の収納孔から突出した際に扉の収納孔位置において前部取付柱と当接する当接部とを備え、キーボードトレイが上方に回動して係止部材により係止された際にキーボードトレイの底部が前方斜め上方に傾斜して、キーボードはキーボードトレイの底部上を滑って斜めに支持されるとともに、キーボードトレイが下方に回動して当接部が前部取付柱と当接した際にキーボードトレイは水平に位置し、キーボードはこの水平のキーボードトレイ上に支持されるものである。
【発明の効果】
【０００９】
以上のようにこの発明によれば、収納ユニットを取り付けるための前部取付柱に扉の収納孔位置においてキーボードトレイを蝶番を介して上下方向回動自在に取り付け、このキーボードトレイにキーボードを収納し、キーボードトレイを上方に回動したときに係止する係止部材を扉の収納孔位置において前部取付柱に取り付けるとともに、キーボードトレイが下方に回動して扉の収納孔から突出したときに扉の収納孔位置において前部取付柱に当接する当接部をキーボードトレイに設けており、部品点数が比較的少なく、構造も比較的簡単であり、比較的安価とすることができる。又、キーボードを収納したキーボードトレイを係止部材と係止したときにキーボードトレイは扉の収納孔に位置しており、キーボードを空きスペースを利用して小さな収納スペースに収納することができる。さらに、キーボードトレイを係止部材に係止した時にキーボードトレイの底部が前方斜め上方に傾斜して、キーボードがキーボードトレイの底部上を滑って斜めに支持されるので、大きさが異なるキーボードを安定して収納することができる。又、キーボードトレイが下方に回動して当接部が前部取付柱と当接した際にキーボードトレイは水平に位置するので、キーボードをこのキーボードトレイ上に載置して安定に操作することができる。
【発明を実施するための最良の形態】
【００１０】
以下、この発明を実施するための最良の形態を図面とともに説明する。図１（ａ），（ｂ）はこの発明の実施最良形態による制御盤の要部縦断側面図及び制御盤本体の要部正面図（扉は図示せず。）、図２（ａ），（ｂ）は同じく制御盤の縦断正面図及び縦断側面図、図３は同じくキーボードトレイの回動時のキーボードトレイ及びキーボードの姿勢の変化を示す図である。扉１ｂには貫通して収納孔１ｄが設けられ、キーボード５を収納したキーボードトレイ８の下部は、扉１ｂの収納孔１ｄの位置において前部取付柱２に蝶番９を介して上下方向回動自在に取り付けられている。又、この収納孔１ｄ位置において前部取付柱２の前面には支持部１０を介してキーボードトレイ８の係止部材１１が取り付けられ、係止部材１１はキーボードトレイ８を上方に回動した際にキーボードトレイ８の上端を係止する。係止部材１１はここではマグネットにより形成されるが、ラッチやつまみねじ等により形成してもよい。
【００１１】
又、キーボードトレイ８の下部にはゴム脚等からなる当接部１２が突出して設けられ、当接部１２はキーボードトレイ８が下方に回動して扉１ｂの収納孔１ｄから突出した際に扉１ｂの収納孔１ｄの位置において前部取付柱２の前面と当接する。
【００１２】
次に、上記構成の動作を説明する。まず、図１（ａ）に示すようにキーボードトレイ８の上端が係止部材１１に係止（吸着）されている状態では、キーボードトレイ８は扉１ｂの収納孔１ｄに収納された状態となる。又、キーボードトレイ８の底部８ａが前方斜め上方に傾斜して、キーボード５はキーボードトレイ８の底部８ａ上を滑って斜めに支持される。このため、キーボード５は多少大きさが異なってもキーボードトレイ８に安定して支持される。次に、この状態からキーボードトレイ８を下方に回動して当接部１２が扉１ｂの収納孔１ｄの位置において前部支持柱２の前面と当接した際には、キーボードトレイ８は水平に位置し、キーボード５はこの水平のキーボードトレイ８上に支持され、キーボード５の操作が安定して行なわれる。
【００１３】
図３はキーボードトレイ８を、当接部１２が前部取付柱２と当接した水平位置から、キーボードトレイ８の上端が係止部材１１と係止するまで回動した際のキーボードトレイ８及びキーボード５の姿勢の変化を示したものである。
【００１４】
上記した実施最良形態１においては、キーボード５を収納したキーボードトレイ８を扉１ｂの収納孔１ｄの位置において前部取付柱２に蝶番９を介して上下方向回動自在に取り付け、同じく扉１ｂの収納孔１ｄの位置において前部取付柱２にキーボードトレイ８を上方に回動したときにキーボードトレイ８を係止する係止部材１１を取り付けるとともに、キーボードトレイ８が下方に回動して扉１ｂの収納孔１ｄから突出したときに前部取付柱２に当接する当接部１２をキーボードトレイ８に設けており、部品点数が少なく、構造も比較的簡単であり、安価となる。又、キーボードトレイ８を係止部材１１と係止したときにキーボードトレイ８は扉１ｂの収納孔１ｄに位置しており、キーボード５を空きスペースを利用して小さな収納スペースに収納することができる。さらに、キーボードトレイ８を係止部材１１と係止したときにキーボードトレイ８の底部８ａが前方斜め上方に傾斜するので、キーボード５がキーボードトレイ８の底部８ａ上を滑って斜めに支持され、大きさが異なるキーボード５を安定して収納することができる。又、キーボードトレイ８が下方に回動して当接部１２が前部取付柱２と当接した際にキーボードトレイ８が水平に位置するので、キーボード５をこのキーボードトレイ８上に載置して安定に操作することができる。
【図面の簡単な説明】
【００１５】
【図１】この発明の実施最良形態による制御盤の要部縦断側面図及び制御盤本体の要部正面図である。
【図２】この発明の実施最良形態による制御盤の縦断正面図及び縦断側面図である。
【図３】この発明の実施最良形態によるキーボードトレイの上方回動時のキーボードトレイ及びキーボードの姿勢の変化を示す図である。
【図４】従来の制御盤の縦断正面図及び縦断側面図である。
【図５】他の従来の制御盤の縦断正面図及び縦断側面図である。
【符号の説明】
【００１６】
１…制御盤
１ａ…制御盤本体
１ｂ…扉
１ｄ…収納孔
２…前部取付柱
3…後部取付柱
４…収納ユニット
５…キーボード
８…キーボードトレイ
８ａ…底部
９…蝶番
１１…係止部材
１２…当接部
【図１】
2006179625.tif 000003
【図２】
2006179625.tif 000004
【図３】
2006179625.tif 000005
【図４】
2006179625.tif 000006
【図５】
2006179625.tif 000007